(57)【要約】      （修正有）【課題】  座った姿勢のときにベルトから下の部分は形が複雑だがきっちりと包み、脱衣・着衣が簡単で、着ているときにずり落ちない着物を提供する。【解決手段】  主として腰・大腿の回りや膝の回り等にダーツ２を付けることにより約９０度の身体の曲がりに対応する。また、床と接する部分に鍔部３を連接するか、又は２重又は３重に被うか、又は前と左右から包み込むように被うか、又は従来のようにホック等でベルトの部分を留める。【選択図】図１
2005179832.tif 000002
【特許請求の範囲】
【請求項１】
床又は椅子に座ったときの腰から下の下半身部分の着物に於いて、下半身全体を１つのまとまった座った形の体とみなし、後身ごろ（９）（椅子に座ったときは座板のすぐ上にくる部分も含む）で後ろ側を被い、左横身ごろで左横側を被い、前身ごろ（７）で前側（下腹部の前側・大腿部の上側・膝上・膝前で椅子に座ったときは下腿部の前を含む）を被い、右横身ごろで右横側を被って成り、これらの各身ごろは連接している着物で、かき合わせる部分は十分に幅を取り、主に腰・大腿の回りと膝の回りに設けたダーツ（２）により約９０度曲がっている部分を被い易くしてあり、座って着用したとき各身ごろの床との最初に接触する部分又は床の近くを裾の端とし、裾の端からベルト（１）までの長さをその部分における丈とする、両端を縫合する等してスカート状にするか又は両端をベルト（１）等のホック等で留めて成る床又は椅子に座ったとき着用する下半身部分の着物。
【請求項２】
前記床又は椅子に座ったときに着用する腰から下の下半身部分の着物に於いて、各身ごろと床との接触する部分又はその近くから２ｃｍ〜３０ｃｍの幅で鍔部（３）が付いており、鍔部とその上側の身ごろとの成す角約９０度に対応する皺の部分を縫うダーツ（２）を施すか又は布を当てて緩める場合のいずれかが鍔部（３）に施してあるか又は施してない床又は椅子に座ったときに着用する下半身部分の着物。
【請求項３】
床又は椅子に座ったとき着用する腰から下の下半身部分の着物に於いて下半身全体を１つの纏まった体とみなし、下半身の部分を２重に被ってなる着物で、後身ごろ（９）（椅子に座ったときは座板の上にくる部分も含む）の左半分で後ろ側の左半分を被い、左横身ごろで左横側を被い、前身ごろ（７）で前側（下腹部の前側・大腿部の上側・膝上・膝前で椅子に座ったときは下腿部の前を含む）を被い、右横身ごろで右横側を被い、後ろ側の右半分を後身ごろ（９）の右半分で被い、これらの各身ごろは連接している（後身ごろの左半分・左横身ごろ・前身ごろ・右横身ごろ・後ろ側の右半分を被う連続した布を第１葉（４）とする。）。次に後身ごろ（椅子に座ったときは座板の上にくる部分も含む）の右半分で後ろ側の右半分を被い、右横身ごろで右横側を被い、前身ごろ（７）で前側（下腹部の前側・大腿部の上側・膝上・膝前で椅子に座ったときは下腿部の前を含む）を被い、左横身ごろで左横側を被い、後ろ側の左半分を後身ごろ（９）の左半分で被ってなり、これらの各身ごろは連接している、床又は椅子に座ったときの下半身部分の着物（後身ごろの右半分・右横身ごろ・前身ごろ・左横身ごろ・後ろ身頃の左半分を被う連続した布を第２葉（５）とする。）で、主として腰・大腿の辺りと膝の部分にダーツ（２）を入れ約９０度曲がっている部分を被い易くしてあり、座って着用したとき各身ごろの床との最初に接触する部分及びその近くを裾の端とし、裾の端とベルト（１）までの長さをその部分における丈とする、下半身用の着物。
【請求項４】
床又は椅子に座ったとき、腰から下の下半身全体を１つのまとまった体とみなし、下半身の部分を外側から３重に被ってなる着物で、後身ごろ（９）（椅子に座ったときは座板の上にくる部分も含む）の左半分で後ろ側の左半分を被い、左横身ごろで左横側を被い、前身ごろ（７）で前側（下腹部の前側・大腿部の上側・膝上・膝前で椅子に座ったときは下腿部の前を含む）を被い、右横身ごろで右横側を被い後ろ側の右半分を後身ごろの右半分で被い、これらの各身ごろはその順に連接している（後身ごろの左半分・左横みごろ・前身ごろ・右横身ごろ・後ろ身ごろの右半分の連続した布を第１葉（４）とする。）。次に後身ごろの右半分で後ろ側の右半分を被い、右横身ごろで右横側を被い、前身ごろで前側を被い、左横身ごろで左横側を被い、後ろ側の左半分を後身ごろの左半分（後身ごろの右半分・右横身頃・前身ごろ・左横身ごろ・後ろ身頃の左半分の連続した布を第２葉（５）とする。）で被い、これらの各身ごろは順に連接している。次に、後身ごろの左半分で後ろ側の左半分を被い、左横身ごろで左横側を被い、前身ごろで前側を被い、右横身ごろで右横側を被い、後ろ側の右半分を後身ごろの右半分（後身ごろの左半分・左横身頃・前身ごろ・右横身ごろ・後ろ側の右半分の連続した布を第３葉（６）とする。）で被い、これらの各身ごろは連接している着物で、座って着用したとき各身ごろの床との最初に接触する部分又はその近くを裾の端とし、裾の端とベルト（１）までの長さをその部分における丈とし、主として腰・大腿の辺りと膝の部分にダーツ（２）を入れ約９０度曲がっている部分を被い易くしてなる床又は椅子に座ったとき着用する下半身部分の着物。
【請求項５】
床又は椅子に座った場合の腰から下の下半身用の着物で下半身全体を１つの纏まった体とみなし、ベルト（１）から下の部分について、後側を後身ごろ（９）で被い、床と接触する部分及び下側を後身頃と連接している下身ごろ（１０）で被い、前側（大腿の上側、膝前・膝上・下腹部の前側で椅子に座った場合は下腿部の前を含む。）をこの下身ごろと連接している前身ごろ（７）（後身頃・下身頃・前身ごろと連続している布を第１葉（４）とする。）で被う。次に左横側・前側・右横側の順に下身ごろと連接している左横身頃・前身頃・右横身頃でこの順に連接して（左横身頃・前身頃・右横身頃と連接している布を第２葉（５）とする。）被う。更に右横側・前側・左横側を下身ごろと連接している右横身頃・前身頃・左横身頃の連続した布（右横身頃・前身頃・左横身頃と連接している布を第３葉（６）とする。）で被って成る、主として腰と大腿部の回りにダーツ（２）を施し、座った姿勢に合わせてなる下半身用の着物。
【発明の詳細な説明】
【技術分野】
【０００１】
本発明は床又は椅子に座ったときに腰上に締めるベルト（１）から下の部分を被う下半身用の着物に関するものである。
【背景技術】
【０００２】
従来の保温着には腰から下の部分を、羽織で上半身を保温する場合のように手軽に保温し、簡単に、どこででも着衣・脱衣が出きるオーバースカート。（例えば、特許文献１参照）上着とロングスカートの二部式に組み合わせたり、組み合せて訪問着としたり、洋服に変身できるおしゃれ着。（例えば、特許文献２参照）
スカートの前後形状の一方に、下腹部を覆い隠すための垂れ部分を設けた、ソフト不織布で作られた使い捨てスカート。（例えば、特許文献３参照）
膝上丈の短いスカート内の前部に、このスカートを装着した人が正座した状態、中腰の状態又は椅子や乗り物の座席に座った状態で両腿の間に垂れ下がって覆う覆い部を有する内部覆い部材を設け、物入れ袋を一体に有しているスカート。（例えば、特許文献４参照）
【０００３】
これらに共通な性質は巻きスカートであっても、立っている姿勢のときに適合したスカートで採寸も主に立っている姿勢のときに行っていると考えられる。座った姿勢のとき内股を被うスカートもあるがこれらは、内股を隠すものであり保温のためのものではない。
【特許文献１】特開平７−３５０７公報（第１頁）
【特許文献２】実開昭６４−４５１１０公報（第１頁）
【特許文献３】実用新案登録第３０８９３１０号公報（第１頁）
【特許文献４】特開平１０−１４０４０５公報（第１頁）
【発明の開示】
【発明が解決しようとする課題】
【０００４】
本発明はこれらのことを改善した下半身用の主として保温用の着物を提供することにある。従来の下半身用の着物は立った姿勢のときの着物をそのまま座って着用していた。座った姿勢での下半身の形が立っている場合と異なり非常に複雑だがその複雑な形に対応できる着物が必用であった。座った姿勢の形をそのまま１つの塊として考え、着物の丈が各部分部分で大きく異なっている着物が必要であった。
さらに、座っているときは立っている場合と比べ体が非常に冷えるため座っているときだけの保温着があれば便利であった。従って座っているときだけの保温着だから着衣・脱衣が簡単な着物が必要であった。又座っていて立ち上がるときワンタッチで脱衣できる着物があれば便利であった。
【０００５】
更に座った場合の着物の合わせる部分から冷気が入ってこないようにきっちりと合わせる必要があった。
更に、長時間着ていても簡単には着物が動いて合わせ目から冷気が着物の内側に入ってこないようにする必要があった。
座った姿勢のときは、上体と大腿部の周りとは約９０度曲がっており、大腿部と膝の前部も約９０度曲がっており、とくに椅子に座ったときは大腿部と下腿部は約９０度の角度で曲がっているのでそれらに対応した着物が必要であった。本発明はこれらのことを改善した着物を提供することを目的とするものである。
【課題を解決するための手段】
【０００６】
これらの課題を達成するために本着物をダーツ（２）等により座った姿勢に合う構造とする。
座った場合大腿部と上体の成す角度は約９０度で、大腿部と膝前部も約９０度で椅子に座った場合は大腿部と下腿部が９０度になっている。したがって、腰や下腹部、大腿部、膝のあたりに図１（ａ）〜図４（ｃ）及び図９等のようにダーツ（２）を必要に応じて入れる必要がある。このダーツ（２）には２種類あり１つは布の端からＶ字状に切り取って両端を縫い付けてなるか又はＶ字状に折り曲げてその端を縫合してなるものでもう１つの方法は略楕円状に折り曲げるか又は切り取って両端を合わせて縫ってなるダーツである。又、一文字状に切りそこに布を縫い付けゆったりさせる方法もある。
【０００７】
１重で被う場合は足を動かすと簡単に着物が動くので合わせる部分の幅を十分に取って主としてベルトに付けたホック等に重ねて留める必要がある。また、両端を縫合する等してスカート状にする場合もある。
【０００８】
座った姿勢のベルトの下側を第１葉（４）・第２葉（５）又は第１葉（４）・第２葉（５）・第３葉（６）で被うとき、すなわち２重または３重に被う構造のとき、各着物は腰の後で縫い合わせておく。各着物は後の部分にまで伸ばし座った場合に端のほうが腰の後にまで達するようにする。
【０００９】
第９図の場合、座った姿勢で体の後側・下側・前側をこの順に連続した布で被い、次に横の方から下側の布に続いている布で右横・前（大腿の上側）・左横をこの順に連続した布で被い、同様に反対側から下側の布に続いている布で左横・前（大腿の上側）・右横をこの順に連続した布で被う。
【００１０】
着物の裾の端と床との接触する部分又はその近くからから２センチから３０センチの幅の鍔部（３）を設けても良い。鍔部は一文字状に切り当て布を当てるか、又はＶ字状に切りダーツを施すとすぐ上の部分の身ごろと直角になるように出来る。
丈すなわちベルト（１）の位置から床までの長さが場所により異なるため図１（ａ）から図４（ｃ）まで等の場合のように丈を場所により適正な長さにしなければならない。
【００１１】
以下図に従って述べることにする。
図１は正座した場合の下半身用の着物で腰・大腿の回りの大きなダーツ（２）で下脚部と上体がほぼ直角になっていることに対応し、右膝の右と左膝の左の２個のダーツ（２）で膝の前と大腿部が９０度になっていることに対応している。腰の後にもダーツ（２）を付けしわができないようにする。
【００１２】
図１（ａ）は１重に被うためかき合せの部分は十分な幅を取っておく必要がある。
ベルトに付けたホック等の間隔を広くする等して留めなければならない。スカート状にして着用する方法もある。
図１（ｂ）は図１（ａ）の着物に着物の裾が最初に床に接触する部分又はその近くから２ｃｍ〜３０ｃｍの幅の鍔部（３）を付けてなる着物である。  
図１（ｃ）は図１（ｂ）と同じような着物を腰の後部で２枚繋ぎ合わせ第１葉（４）と第２葉（５）の２枚から構成されている着物である。鍔部（３）が付いている。
図１（ｄ）は図１（ｂ）と同じ着物を腰部の後で第１葉（４）、第２葉（５）、第３葉（６）と繋ぎ合わせてなる着物である。第１葉（５）と第３葉（６）が重なっている。鍔部（３）が付いている。
【００１３】
図２は主に胡座をかいて座る場合の着物である。大きなダーツ（２）で大腿部と上体がほぼ直角になっていることに対応している。膝と膝の間に大きな皺ができるので楕円形のダーツ（２）で切り取ってあり、鍔部（３）が付いている。
図２（ａ）は一枚のみから成る場合の製図である。この場合はベルトに付けたホック等が重要になる。かき合せの部分の幅を十分に取っておく必要がある。腰及び大腿部にダーツを施し大腿部と上体が約９０度の角度をなしていることに対応している。膝と膝を結ぶ線上に大おきな皺ができるのでダーツで切り取ってあり、鍔部（３）が付いている。
【００１４】
図２（ｂ）は図２（ａ）と同じような着物を２着、第１葉（４）と第２葉（５）を腰の後側で接合してなる着物で、鍔部（３）が付いている。
図２（ｃ）は図２（ａ）と同じような着物３着、第１葉（４）と第２葉（５）と第３葉（６）を接合してなる着物である。図では第３葉（６）の上に第１葉（４）を重ねてあり、鍔部（３）が付いている。
【００１５】
図３はズボンをはき正座で座る場合の着物で左右の大腿部の上に図１の場合よりはぴったりと載せることが出きる。大腿部の内側にくり抜いてなるダーツ（２）を４個所付けてある。左右のそれぞれの膝の左右には更に２箇所ずつダーツ（２）を施してある。ズボンを履いて正座した場合左右の大腿部の間の内股に布が入り込み左右それぞれの大腿部を別々に上から被う形になる。鍔部（３）が付いている。
図３（ａ）は１葉のみから成る場合の製図である。この場合もベルトに付けたホック等が重要である。鍔部（３）が付いている。
【００１６】
図３（ｂ）は図３（ａ）の着物と同じような着物である第１葉（４）と第２葉（５）を腰部の後部で接合して成る着物で、鍔部が付いている。
図３（ｃ）は図３（ａ）の着物と同じような着物である第１葉（４）、第２葉（５）、第３葉（６）を腰部の後部で接合して成る着物である。第１葉（４）と第３葉（６）は重なっていて鍔部（３）が付いている。
【００１７】
図４は椅子に座った場合の着物で左の膝の右側と右の膝の左側にもダーツ（２）を付けてあり着物と床の接触する部分から又はその近くから２ｃｍ〜３０ｃｍ幅の鍔部（３）を付けてある。
図４（ａ）は一枚だけから成る着物であり、ベルトに付けたホック等でしっかり留めておくことが大切である。かき合わせの部分をできるだけ広く取る必要がある。鍔部（３）が付いている。
図４（ｂ）は図４（ａ）の着物と同じような着物を２枚重ねて使う着物で第１葉（４）、第２葉（５）から成っている。鍔部（３）が付いている。
図４（ｃ）は図４（ａ）の着物と同じような着物を３枚重ねて使う着物で第１葉（４）、第２葉（５）、第３葉（６）から成っている。図では第１葉（４）と第３葉（６）は重なっている。鍔部が付いている。
【００１８】
図５は図１（ｄ）の着物を着た場合で図５（ａ）は第１葉（４）を着用し第２葉（５）を右手に第３葉（６）を左手で持っており、鍔部（３）が付いている。
図５（ｂ）は図１（ｄ）の着物を着た場合で、第１葉（４）、第２葉（５）を着用し、第３葉（６）を右手と左手で持っており、鍔部（３）が付いている。
図５（ｃ）は図１（ｄ）の着物を着用した場合で、鍔部（３）が付いている。
【００１９】
図６（ａ）は図３の着物を着用した場合で、内股の４本のダーツ（２）が線で記入されている。鍔部（３）が付いている。
図６（ｂ）は図３の着物を着た場合で、内股に４本のダーツ（２）が入り、左右とも膝の部分に２個所ずつダーツ（２）が入っており、鍔部（３）が付いている。
図７は図２の着物を着た場合で膝と膝を結ぶ線上にできる皺を除くためにダーツ（２）を入てあり鍔部（３）が付いている。
【００２０】
図８（ａ）は椅子に座り図４（ｂ）の着物の第１葉を着用し第２葉を左手で持っており、鍔部（３）が付いている。
図８（ｂ）は椅子に座り図４（ｂ）の第１葉、第２葉を着用した場合で、鍔部（３）が付いている。
図９は、連接している後身ごろ、下身ごろ、前身ごろを第１葉（４）とし、第１葉の下身ごろに第２葉（５）（左横みごろ・前身ごろ・右横身ごろ）・第３葉（６）（右横みごろ・前身ごろ・左横身ごろ）を接合してある。
図１０（ａ）は横身ごろに重しを付けてあり、鍔部（３）が付いている。
大腿部に平行に前身ごろと同じ重さの布の袋に布屑等を詰めた棒状の重石（図１０（１１））を横身頃に大腿部とほぼ同じ長さだけ付けることにより横身頃が前身ごろのほうへ自然に手繰られるのを少し防止することが出きる。
図１０（ｂ）は椅子に座った場合に横身ごろに重石を付けてあり、鍔部（３）が付いている。
【発明の効果】
【００２１】
床又は椅子に座ったとき下半身の形は複雑であるが主として腰や大腿部の回りや膝の回り等にダーツ（２）を設けるか又は一文字に切りそこに布を縫い付けることにより座った形に合わせた着物を提供できる。すなわちすなわち略V字形に切り取ってなるダーツ（２）を施す、略楕円形にくり抜いてダーツ（２）を施す、等により座った場合の大腿と上体、大腿と下腿・膝前等のそれぞれ約９０度になっている部分及び各大腿の丸み等に合わせしっかりと被うことができる。
また、鍔部（３）が床にしっかり接するためには布を略一文字状に切りそこにＶ字状の布を縫い付ける方法がある。また略一文字状に切りそこに布を縫い付け突出部に布を補い形を整えて被う方法もある。それらの方法により布がだぶついて皺ができるのを防止する。そして鍔部（３）とすぐ上にくる布とを９０度の角度にすることが出来る。
それらの方法により腰の部分で約９０度に曲がり膝の回りでも約９０度に曲がっている部分に対して皺の発生を最小限にし着物を座った姿勢の凹凸に合わせることにより下半身の保温効果も高くなるとともに見栄えも奇麗にすることが出きる。
【００２２】
座って着衣した場合のベルトの位置から布の端までの丈は位置によって異なる、大腿・下腿等の下半身部で出きる一つの塊に対する丈、すなわち図１（ａ）〜図４（ｃ）までの完成した着物の丈を座ったときのベルトの位置から床までの長さ又は床の近くまでの長さとする。
【００２３】
図１（ｂ）、図２（ａ）、図３（ａ）、図４（ａ）のように第１葉（４）のみで成る場合はもちろんベルトの巻き始めの部分と巻き終わりの部分の端をホック等でベルトの部分に固定すれば確実に落ちないように体に留めることができる。また、かき合わせる幅を広くすれば着物の密閉度合いも高くなり体温を外に逃がさなくなる。また、両端を縫合する等してスカート状にして使用することも出きる。しかし、スカート状の場合は脱衣・着衣がやや面倒になる。
【００２４】
同じような形の着物を２重（図１（ｃ）、図２（ｂ）、図３（ｂ）、図４（ｂ）、図８）または３重（図１（ｄ）、図２（ｃ）、図３（ｃ）、図４（ｃ）、図５）に重ねることにより着衣の気密性を高め隙間風を防止するとともに布と布の摩擦により着物がずり落ちるのを防止する。それらをホック等で留めてない場合は２重・３重の場合１つの動作で脱衣ができる。着衣も合わせて重ねるだけで出きる。
２重・３重に重ねる場合は、後身ごろの端の部分を腰の下にして尻で押さえることによりずり落ちにくく出きる。
本着物は体の外側の曲面に合っており大腿・膝の上に載せておくだけでもずり落ちにくいし着用した場合に余す所なく保温できる。
【００２５】
とくに図２の着物は鍔部（３）の長さを長めにすることにより正座・横座り・胡座のいずれの場合でも着用できる。図１、図３の場合も同様である。
図４の場合丈の下側を床の面から少し上げて取ることにより利用の範囲を広げることが出きる。
図９のように前、右、左から包み込むようして被うと一層完全な着物になり着やすく脱ぎ易い着物になる。
【００２６】
また、図１（ａ）、図９以外のこれらの着物を着用したとき床との最初の接触部分から２センチから３０センチの幅で接続して成る鍔部（３）は鍔部（３）と床が密着しやすいためこの着物と床との接触部分からの冷たい外気が着衣と体の間に侵入するのを防止する。また、姿勢を変え足等で出きる体の形が変化した場合にも保温がし易くなる。
【発明を実施するための最良の形態】
【００２７】
図１、図２、図３の着物を椅子に座った場合の簡易保温用として使用できる。
【実施例１】
【００２８】
図１（ｃ）は本発明の着物の中では比較的簡単に製造できる実施例である。
【実施例２】
【００２９】
図２（ｂ）は主として胡座用だが正座の場合も使える実施例である。鍔部の幅を広くすれば腰の部分も広くなり正座用に使い易くなる。
【実施例３】
【００３０】
図３（ｂ）は正座の場合に使用するピッタリとして使い良い実施例である。
【実施例４】
【００３１】
図４（ｂ）は（ｃ）よりは使う際に煩雑でなく使い易い。
この着物は丈を短くして裾が床に付かないようにして使用すれば便利な場合も多い。
椅子に座り、２枚以上で被う場合椅子に座った場合の上側の着物の端にゴム紐等を縫い付けその端に縫い付けたホック等で椅子側に付けたホック等と繋ぎ引っ張らせることにより着物の上側の部分を着物の下側の部分に密着させることができる。
【図面の簡単な説明】
【００３２】
【図１】（ａ）正座のとき着用する着物の製図である。                                  （ｂ）鍔部の付いた正座のとき着用する着物の製図である。                      （ｃ）正座用の２枚からなる着物の製図である。（実施例１）                    （ｄ）正座用の３枚からなる着物の製図である。
【図２】（ａ）主として胡座のとき着用する着物の製図である。                          （ｂ）主として胡座用の２枚からなる着物の製図である。（実施例２）            （ｃ）主として胡座用の３枚からなる着物の製図である。
【図３】（ａ）正座用の他の例を示す着物の製図である。                                （ｂ）正座用の２枚からなる着物の製図である。（実施例３）                    （ｃ）正座用の３枚からなる着物の製図である。
【図４】（ａ）椅子に座る場合の着物の製図である。                                    （ｂ）椅子に座る場合の２枚からなる着物の製図である。（実施例４）            （ｃ）椅子に座る場合の３枚からなる着物の製図である。
【図５】（ａ）正座で第１葉を着用し第２葉・第３葉を着用しようとしているときの斜視図である。                                                                      （ｂ）正座で第１葉・第２葉を着用し第３葉を着用しようとしているときの斜視図である。                                                                      （ｃ）正座で第１葉・第２葉・第３葉を着用した場合の斜視図である。
【図６】（ａ）正座で図３の着物を着用した場合の斜視図である。                        （ｂ）図６（ａ）と同様、正座で図３の着物を着用した場合の斜視図である。
【図７】胡座で座り図２の着物を着用した場合の正面からの斜視図である。
【図８】（ａ）椅子に座り図４（ｂ）の１葉目を巻きつけ２葉目を巻きつけようとしているときの斜視図である。                                                          （ｂ）椅子に座り図４（ｂ）の着物を着用したときの斜視図である。
【図９】請求項５の着物の製図である。
【図１０】（ａ）着物に重石を付けた場合の斜視図である。                                （ｂ）着物に重石を付けた場合の他の例を示す斜視図である。
【符号の説明】
【００３３】
１  ベルト
２  ダーツ
３  鍔部
４  第１葉
５  第２葉
６  第３葉
７  前身ごろ
８  横身頃
９  後身頃
１０  下身頃
１１  重石
【図１】
2005179832.tif 000003
【図２】
2005179832.tif 000004
【図３】
2005179832.tif 000005
【図４】
2005179832.tif 000006
【図５】
2005179832.tif 000007
【図６】
2005179832.tif 000008
【図７】
2005179832.tif 000009
【図８】
2005179832.tif 000010
【図９】
2005179832.tif 000011
【図１０】
2005179832.tif 000012